(57)【要約】【課題】乾電池に絶縁部材を設ける必要なく、電池蓋の構造により乾電池装填時の逆通電を防止する。【解決手段】複数の乾電池Ｂを直列に装填する電池装填部２を覆う電池蓋１であって、その内側に、複数の乾電池Ｂの全てが順方向に装填された場合に、当該複数の乾電池の端子面間に差し込まれる中間部差込片３１と、複数の乾電池Ｂの全てが順方向に装填された場合に、当該複数の乾電池の両端部の端子面に沿って差し込まれる端部差込片３３と、を備える。さらに、中間部差込片３１又は端部差込片３３と一体に設けられたスイッチ操作部３２と、スイッチ操作部３２により接続動作される電源スイッチ２５と、を備える。【選択図】図１
2011086517.tif 000002
【特許請求の範囲】
【請求項１】
複数の乾電池を直列に装填する電池装填部を覆う電池蓋であって、
その内側に、
前記複数の乾電池の全てが順方向に装填された場合に、当該複数の乾電池の端子面間に差し込まれる中間部差込片と、
前記複数の乾電池の全てが順方向に装填された場合に、当該複数の乾電池の両端部の端子面に沿って差し込まれる端部差込片と、を備えることを特徴とする電池蓋。
【請求項２】
前記中間部差込片又は前記端部差込片は、前記複数の乾電池のうち少なくとも一つが逆方向に装填された場合に、差し込まれなくなることを特徴とする請求項１に記載の電池蓋。
【請求項３】
前記中間部差込片又は前記端部差込片は、前記複数の乾電池のうち少なくとも一つが逆方向に装填された場合に、差し込まれると、前記複数の乾電池の端子面間及び端部と電池装填部の間のうち少なくとも一箇所に間隙を生じさせることを特徴とする請求項１に記載の電池蓋。
【請求項４】
複数の乾電池を装填する電池装填部と、
請求項１乃至請求項３の何れか一項に記載の電池蓋と、
前記中間部差込片又は前記端部差込片と一体に設けられたスイッチ操作部と、
前記スイッチ操作部により接続動作される電源スイッチと、を備えることを特徴とする電池装填構造。
【請求項５】
請求項４に記載の電池装填構造を備えることを特徴とする電子機器。
【発明の詳細な説明】
【技術分野】
【０００１】
本発明は、乾電池装填の逆通電を防止する電池蓋と、その電池蓋を含む電池装填構造と、その電池装填構造を備える電子機器に関する。
【背景技術】
【０００２】
乾電池装填の逆通電防止対策として、乾電池の−極端子面を、＋極端子に対応する開口が中央に設けられた絶縁シートで覆う方法が特許文献１に開示されている。
また、乾電池の−極端子面に、＋極端子を囲む絶縁体を設ける方法が特許文献２に開示されている。
【先行技術文献】
【特許文献】
【０００３】
【特許文献１】特開２０００−０３０７１６号公報
【特許文献２】特開平０７−２０１３１４号公報
【発明の概要】
【発明が解決しようとする課題】
【０００４】
しかし、特許文献１の逆通電防止対策では、ユーザーにより乾電池の−極端子面に絶縁シートを貼り付けてもらわないと効果が発揮できなく、ユーザーに一手間掛けさせてしまうという問題もある。
また、特許文献２の逆通電防止対策は、乾電池の−極端子面に、＋極端子を囲む絶縁体を設けて乾電池自体の構造を変化させるものであり、電池の規格を満足させられなくなること、また既存の電池サイズに対応した機器で使用できなくなる可能性があることなどの問題がある。
【０００５】
本発明の課題は、乾電池に絶縁部材を設ける必要なく、電池蓋の構造により乾電池装填時の逆通電を防止することである。
【課題を解決するための手段】
【０００６】
以上の課題を解決するため、請求項１に記載の発明は、複数の乾電池を直列に装填する電池装填部を覆う電池蓋であって、その内側に、前記複数の乾電池の全てが順方向に装填された場合に、当該複数の乾電池の端子面間に差し込まれる中間部差込片と、前記複数の乾電池の全てが順方向に装填された場合に、当該複数の乾電池の両端部の端子面に沿って差し込まれる端部差込片と、を備えることを特徴とする。
【０００７】
請求項２に記載の発明は、請求項１に記載の電池蓋であって、前記中間部差込片又は前記端部差込片は、前記複数の乾電池のうち少なくとも一つが逆方向に装填された場合に、差し込まれなくなることを特徴とする。
【０００８】
請求項３に記載の発明は、請求項１に記載の電池蓋であって、前記中間部差込片又は前記端部差込片は、前記複数の乾電池のうち少なくとも一つが逆方向に装填された場合に、差し込まれると、前記複数の乾電池の端子面間及び端部と電池装填部の間のうち少なくとも一箇所に間隙を生じさせることを特徴とする。
【０００９】
請求項４に記載の発明は、複数の乾電池を装填する電池装填部と、請求項１乃至請求項３の何れか一項に記載の電池蓋と、前記中間部差込片又は前記端部差込片と一体に設けられたスイッチ操作部と、前記スイッチ操作部により接続動作される電源スイッチと、を備える電池装填構造を特徴とする。
【００１０】
請求項５に記載の発明は、請求項４に記載の電池装填構造を備える電子機器を特徴とする。
【発明の効果】
【００１１】
本発明によれば、乾電池に絶縁部材を設ける必要なく、電池蓋の構造により乾電池装填時の逆通電を防止できる。
【図面の簡単な説明】
【００１２】
【図１】本発明を適用した電子機器の一実施形態の構成を示すもので、電子辞書を下面側から電池蓋を分解して示した斜視図である。
【図２】図１の電池蓋を内側から見た斜視図である。
【図３】図１の電池装填部に電池蓋を装着した状態で中央部を破断して示した図である。
【図４】図３の電池装填部及び電池蓋の中央部分を示した拡大図である。
【図５】図３の電池蓋を装着した状態の縦断面図である。
【図６】図５の矢印Ａ部の拡大図（ａ）、同じく矢印Ｂの拡大図（ｂ）、同じく矢印部Ｃの拡大図（ｃ）である。
【図７】電池蓋が閉まらないパターンＡの場合を示した縦断面図である。
【図８】図７の矢印Ａ部の拡大図である。
【図９】電池蓋が閉まらないパターンＢの場合を示した縦断面図である。
【図１０】図９の矢印Ａ部の拡大図（ａ）、同じく矢印Ｂの拡大図（ｂ）である。
【図１１】電池蓋が閉まらないパターンＣの場合を示した縦断面図である。
【図１２】図１１の矢印Ａ部の拡大図である。
【発明を実施するための形態】
【００１３】
以下、図を参照して本発明を実施するための形態を詳細に説明する。
（実施形態）
図１は本発明を適用した電子機器の一実施形態の構成として電子辞書を下面側から電池蓋を分解して示したもので、１は筐体、２は電池装填部、３は電池蓋、Ｂは乾電池である。ここで、乾電池は、種々の規格からなる円筒型乾電池を含み、同形状の二次電池等も含む概念であるとする。
【００１４】
図示のように、電子辞書の筐体１は、下面に開口して二本の乾電池Ｂを直列に装填する電池装填部２が設けられている。この電池装填部２の開口は、電池蓋３を装着することで覆われる。電池装填部２には、一端部に−極端子接続バネ２１が設けられて、他端部に＋極端子接続バネ２２（図５参照）が設けられていて、中央部に電源スイッチ２５が設けられている。この電源スイッチ２５は、押圧操作される押しボタン２６を有しており、この押しボタン２６が押圧操作されることで接続動作する。
【００１５】
図２は電池蓋３を内側から見たもので、電池蓋３は、電池装填部２の開口に対し係止爪及び係止溝により着脱自在となっている。この電池蓋３の内側面には、図５に示すように、電池装填部２に正規に装填した二本の乾電池Ｂの端子面間に差し込まれる中間部差込片３１と、同じく正規に装填した二本の乾電池Ｂの両端部の端子面に沿ってそれぞれ差し込まれる左右の端部差込片３３とが一体に形成されている。ここで、乾電池Ｂの＋極側の端子面とは、凸部を除いた面を指す。
【００１６】
中間部差込片３１と左右の端部差込片３３との間隔は、乾電池Ｂの端子面間の長さと略等しいか、やや長い。
そして、中間部差込片３１には、図３及び図４に示すように、電源スイッチ２５の押しボタン２６を押圧操作するスイッチ押圧部３２が一体に形成されている。
【００１７】
図５に示すように、二本の乾電池Ｂがともに右側を＋極側とする正しい方向（順方向）で装填された場合は、正規な装填状態であり、図６に各部を拡大して示したように、その二本の乾電池Ｂの端子面間に中間部差込片３１が差し込まれると同時に、同じく二本の乾電池Ｂの両端部の端子面に沿って左右の端部差込片３３がそれぞれ差し込まれる。こうして、電池装填部２の開口に電池蓋３が装着されると同時に、中間部差込片３１に一体のスイッチ押圧部３２が電源スイッチ２５の押しボタン２６を押圧操作する。これにより、電源スイッチ２５が接続動作して、電子辞書の電源ラインが導通状態になる。
【００１８】
ここで、中間部差込片３１及び端部差込片３３の厚みは、乾電池Ｂの＋極端子の凸部の長さよりも短い。これにより、順方向で装填された二本の乾電池Ｂの端子面間に中間部差込片３１を容易に装着することができるとともに、同じく二本の乾電池Ｂの両端部の端子面に沿って左右の端部差込片３３をそれぞれ容易に装着することができ、かつ、装着することによって電源ラインの導通が妨げられることもない。
【００１９】
なお、図７に示したパターンＡのように、両方の乾電池Ｂの−極端子が内側に向かい合った状態で装填された場合は、誤った装填状態であり、図８に拡大して示したように、中間部差込片３１を差し込むための隙間がないので、中間部差込片３１が乾電池Ｂの端部外周に突き当たり、電池蓋３が装着できない。仮に、電池蓋３を強引に押し込んで装着したとしても、中間部差込片３１の厚みによって乾電池Ｂの端子面間に間隙が生じ、電源ラインが導通されず、通電することはない。すなわち、電子辞書の電源が入らない。
【００２０】
また、図９に示したパターンＢのように、両方の乾電池Ｂが順方向とは逆向きに装填された場合は、誤った装填状態であり、図１０に各部を拡大して示したように、中間部差込片３１と右側の端部差込片３３が乾電池Ｂの端部外周にそれぞれ突き当たり、電池蓋３が装着できない。仮に、電池蓋３を強引に押し込んで装着したとしても、右側の端部差込片３３が挿入されることで乾電池Ｂの−極端子と電池装填部２の＋極端子接続バネ２２との間に間隙が生じるので、通電することはない。
【００２１】
また、図１１に示したパターンＣのように、両方の乾電池Ｂの＋極端子が内側に向かい合った状態で装填された場合は、図１２に拡大して示したように、右側の端部差込片３３が乾電池Ｂの端部外周に突き当たり、電池蓋３が装着できない。仮に、電池蓋３を強引に押し込もうとしても、少なくとも左右の端部差込片３３のいずれかが乾電池Ｂの端部外周に突き当たるため、電池蓋３は閉まらず、通電することはない。
【００２２】
以上、実施形態の電池装填構造を備える電子辞書によれば、電池蓋３の内側に、電池装填部２に正規に装填した二本の乾電池Ｂの端子面間に差し込まれる中間部差込片３１と、同じく二本の乾電池Ｂの両端部の端子面に沿って差し込まれる端部差込片３３と、を備えることで、乾電池Ｂに絶縁部材を設ける必要なく、電池蓋３の構造により乾電池装填の逆通電を防止できる。
【００２３】
さらに、電池装填部２には、中間部差込片３１と一体のスイッチ押圧部３２により接続動作される電源スイッチ２５を備えることで、電池逆入れが生じた場合には乾電池Ｂが通電しないようにすることができる。これにより、乾電池の誤使用による漏液や、機器の損傷を未然に防止することができる。
【００２４】
（変形例）
以上の実施形態においては、電子辞書としたが、本発明はこれに限定されるものではなく、カメラ、ＰＤＡ、ノートパソコン、ウェアラブルパソコン、電卓、携帯電話などの機器全てに用いることができる。
また、実施形態では二本の乾電池を直列に装填する電池装填部としたが、三本以上の乾電池を直列に装填する電池装填部でもよく、その場合は、電池蓋に二本以上の中間部差込片を設ければよい。
また、実施形態では、スイッチ押圧部３２は中間部差込片３１と一体に形成されているとしたが、左右何れかの端部差込片３３と一体に形成されているとしてもよく、その場合は、対応する位置で押圧操作されるように電源スイッチ２５が設ければよい。
さらに、差込片及びスイッチ操作部の形状や電源スイッチの種類等も任意であり、その他、具体的な細部構造等についても適宜に変更可能であることは勿論である。
【符号の説明】
【００２５】
１  筐体
２  電池装填部
２１  −極端子接続バネ
２２  ＋極端子接続バネ
２５  電源スイッチ
２６  押しボタン
３  電池蓋
３１  中間部差込片
３２  スイッチ操作部
３３  端部差込片
Ｂ  乾電池
【図１】
2011086517.tif 000003
【図２】
2011086517.tif 000004
【図３】
2011086517.tif 000005
【図４】
2011086517.tif 000006
【図５】
2011086517.tif 000007
【図６】
2011086517.tif 000008
【図７】
2011086517.tif 000009
【図８】
2011086517.tif 000010
【図９】
2011086517.tif 000011
【図１０】
2011086517.tif 000012
【図１１】
2011086517.tif 000013
【図１２】
2011086517.tif 000014